【手続補正書】
【提出日】平成18年3月16日(2006.3.16)
【手続補正１】
【補正対象書類名】明細書
【補正対象項目名】全文
【補正方法】変更
【補正の内容】
【書類名】            明細書
【発明の名称】        画像形成装置の交換物又は再使用着脱物，報知方法および画像形成装置
【特許請求の範囲】
【請求項１】
表示手段，制御システムおよび該制御システムに接続された記憶手段の表示データを該表示手段に表示する表示制御手段、を備える画像形成装置の、前記表示手段に表示する表示データを格納した記憶手段、および、該記憶手段を前記制御システムに接続する接続手段を装備した、画像形成装置の交換物又は再使用着脱物であって、該接続手段が、該物の前記画像形成装置への装着にともなって該記憶手段を前記制御システムに接続する、画像形成装置の交換物又は再使用着脱物。
【請求項２】
表示データを格納した記憶手段を、画像形成装置の、交換物又は再使用着脱物に装備し、該物を画像形成装置に装着するとき該記憶手段も画像形成装置の制御システムに接続して、画像形成装置の表示手段に該記憶手段にあった表示データが表す画像を表示する、報知方法。
【請求項３】
前記記憶手段には、少なくとも選択項目を表示するための表示データ、および、選択項目の内容を表す報知データ、を格納しておき、表示手段には該表示データが表す表示画像を表示し、表示画像上の選択項目の指定があると選択項目の内容を表す報知データを記録媒体上に形成する、請求項２に記載の報知方法。
【請求項４】
前記記憶手段にあった表示データが表す画像の表示は、画像形成装置の、指示入力を待つ待機中に行う、請求項２又は請求項３に記載の報知方法。
【請求項５】
前記交換物又は再使用着脱物は、顕像剤容器である、請求項２，請求項３又は請求項４記載の報知方法。
【請求項６】
表示手段，制御システムおよび該制御システムに接続された記憶手段の表示データを該表示手段に表示する表示制御手段を備える画像形成装置であって、表示データを格納した記憶手段を装備した、画像形成装置の交換物又は再使用着脱物の、前記画像形成装置への装着にともなって該記憶手段を前記制御システムに接続する接続手段、を備える画像形成装置。
【請求項７】
前記交換物又は再使用着脱物に装備した記憶手段は、少なくとも選択項目を表示するための表示画面を表す表示データ、および、選択項目の内容をあらわす報知データ、を格納した可搬メモリであり；画像形成装置は更に、前記表示手段に表示された前記表示画面上の選択項目を指定するための入力手段、および、前記可搬メモリにあった、該入力手段が指定した選択項目の内容を表す報知データを、記録媒体上に形成する記録制御手段を備える；請求項６に記載の画像形成装置。
【請求項８】
前記交換物又は再使用着脱物は、前記画像形成装置に対して着脱可の顕像剤容器である、請求項６又は７に記載の画像形成装置。
【発明の詳細な説明】
【０００１】
【発明の属する技術分野】
本発明は、画像形成装置の交換物又は再使用着脱物，これを用いて人に情報を報知する報知方法および該物を利用する画像形成装置に関し、特に、これに限定する意図ではないがデジタルプリンタおよびデジタル複写機に関する。
【０００２】
【従来技術】
従来、広告，宣伝，案内，お知らせなどの電気的情報報知は、ネオン，電球アレイ，発光ダイオードアレイ，ＣＲＴ，液晶，プラズマディスプレイ等で行われており、電球アレイあるいは発光ダイオードアレイでニュース速報を走らせ、それに広告文も走らせることが行われている。一般に、広告，宣伝，案内，お知らせなどに専用に設けられたディスプレイの広告などは、見慣れたものであるので、意外性は低い。又設置場所が限られる。
【０００３】
最近は、コンビニエンスストアやスーパーあるいは百貨店、ブックセンタ，文房具センタ，賃貸情報を含む不動産センタ等が、広域又は地域通信網を利用する広域又は周辺地域の物品販売の物品受け渡し，代金清算，サービス取次ぎあるいは地域情報拠点として考えられる。これらは、広告，宣伝拠点として価値も高いと考えられる。しかし、店の内外に広告，宣伝用のディスプレイをおくことは、設置空間を占有してしまうとか、店のイメージダウンになる虞もある。
【０００４】
【発明が解決しようとする課題】
本発明は専用のディスプレイを用いることなく、広告，宣伝，案内，お知らせあるいはその他の、人に対する情報発信を行うことを第１の目的とし、個人，店舗，企業，各種事業所など様々な所で、しかも専用のディスプレイを用いることなく、情報発信を行うことを第２の目的とする。加えて、利用者が保存しうる詳細な情報提示を行うことを第３の目的とする。
【０００５】
【課題を解決するための手段】
（１）表示手段(60)，制御システム(40)および該制御システムに接続された記憶手段の表示データを該表示手段に表示する表示制御手段(25,20,37,53)、を備える画像形成装置(PTR)の、前記表示手段に表示する表示データを格納した記憶手段(5)、および、該記憶手段を前記制御システムに接続する接続手段を装備した、画像形成装置の交換物又は再使用着脱物であって、該接続手段が、該物の前記画像形成装置への装着にともなって該記憶手段を前記制御システムに接続する、画像形成装置の交換物又は再使用着脱物(4)。
【０００６】
なお、理解を容易にするためにカッコ内には、図面に示し後述する実施例の対応要素の符号又は対応事項を、参考までに付記した。
【０００７】
これによれば、記憶手段(5)に広告などの情報を書込み、その情報を画像形成装置(PTR)の表示手段(60)に表示させることにより、情報提供者は交換物又は再使用着脱物(4)の費用の一部あるいは全部を負担するかわりに、商品情報などを提供しそれらの売り上げを向上することが可能となる。コンビニストアなど不特定多数によって頻繁に使用される場所に置かれた画像形成装置(PTR)において、このような効果が大きいと期待できる。
【０００８】
一方、画像形成装置(PTR)の利用者は、情報を得られるとともに、交換物又は再使用着脱物(4)の費用例えばトナーの消耗品費を負担することなく画像形成装置(PTR)を利用可能となるので、画像形成装置(PTR)の利用経費を低減させることが可能となる。
【０００９】
さらに、交換物又は再使用着脱物(4)、例えばトナー使用後の空になったトナーボトル、を回収し、トナーを再充填し再利用する場合に、同時に記憶手段(5)の情報を書き換える、もしくは、記憶手段(5)を交換する又は記憶手段(5)付きの再使用着脱物(4)を交換することにより、また新たな情報を利用者に提供することが可能となる。記憶手段(5)に読み書き可能なメモリを用いると、何度でも使用できるので、環境に対しても有利となる。
【００１０】
【発明の実施の形態】
（２）表示データを格納した記憶手段(5)を、画像形成装置(PTR)の、交換物又は再使用着脱物(4)に装備し、該物(4)を画像形成装置(PTR)に装着するとき記憶手段(5)も画像形成装置(PTR)の制御システム(40)に接続して、画像形成装置(PTR)の表示手段(60)に記憶手段(5)にあった表示データが表す画像を表示する、報知方法。
【００１１】
（３）前記記憶手段(5)には、少なくとも選択項目を表示するための表示データ、および、選択項目の内容をあらわす報知データ、を格納しておき、表示手段(60)には表示データが表す表示画面（図１１）を表示し、表示画面上の選択項目の指定があると、選択項目の内容をあらわす報知データを記録媒体上に形成する（図１０の（ｂ））。
【００１２】
これによれば、表示手段(60)上の選択項目を表示する表示画面（図１１）に基づいて、利用者がさらに詳細な情報を欲した場合、記憶手段(5)からさらに詳細な情報、すなわち選択項目の内容をあらわす報知データ、を取り出し記録媒体上に形成することが可能となるので、利用者はより詳細な情報を得てそれを保存することが可能となる。交換物又は再使用着脱物(4)、例えばトナーボトル、が回収された後でも、利用者の手元に情報（記録媒体）を保管することが可能となる。表示手段(60)が例えば小規模液晶パネルで、Ａ４画像の表示が難しかったり、精細な画像の表示が難しくても、報知データをＡ４画像を精細に表すものとして記憶手段(5)に記憶しておくことにより、利用者には、精細なＡ４画像の記録媒体を提供できる。
【００１３】
（４）記憶手段(5)にあった表示データが表す画像の表示は、画像形成装置(PTR)の、指示入力を待つ待機中（省エネ待機中）に行う。これによれば、画像形成装置(PTR)の使用者の、本来の画像形成のための使用に不便を与えることがなく、しかも、画像形成装置(PTR)を使用しようとして近づく者の目に最初に入るので、情報発信の意外性が高く、情報伝達効果が高い。
【００１４】
（５）前記交換物又は再使用着脱物は、顕像剤容器(4)である。顕像剤容器は通常はトナーボトルと呼ばれる。これによれば、トナーボトルに記憶媒体(5)を装備してそれに広告などの情報を付加し、その情報を画像形成装置(PTR)の表示手段(60)に表示させることにより、情報提供者はトナーの消耗品費を負担するかわりに、商品情報などを提供しそれらの売り上げを向上することが可能となる。
【００１５】
一方、利用者は情報を得られるとともに、トナーの消耗品費を負担することなく画像形成装置を利用可能となるので、経費を低減させることが可能となる。
【００１６】
さらに、トナー使用後の空になったトナーボトルを回収し、トナーを再充填し再利用する場合に、同時に記憶手段(5)の情報を書き換えることにより、また新たな情報を利用者に提供することが可能となる。記憶手段(5)に読み書きメモリを用いれば、情報は書き換えが可能であるため何度でも使用できるので、環境に対しても有利となる。
【００１７】
（５ａ）顕像剤容器(4)が記録装置に装着された直後の電源オンの直後に、前記記憶手段(5)の表示データを記録装置の画像メモリに書込む。これによれば、該表示データをその後任意の時点に、通常の表示制御と同様にして表示手段(60)に表示できる。
【００１８】
（６）表示手段(60)，制御システム(40)および該制御システムに接続された記憶手段の表示データを該表示手段に表示する表示制御手段(25,20,37,53)を備える画像形成装置(PTR)であって、表示データを格納した記憶手段(5)を装備した、画像形成装置の交換物又は再使用着脱物(4)の、前記画像形成装置への装着にともなって該記憶手段を前記制御システムに接続する接続手段、を備える画像形成装置。
【００１９】
（７）前記交換物又は再使用着脱物(4)に装備した記憶手段(5)は、少なくとも選択項目を表示するための表示画面を表す表示データ、および、選択項目の内容をあらわす報知データ、を格納した可搬メモリであり；画像形成装置は更に、前記表示手段(60)に表示された前記表示画面上の選択項目を指定するための入力手段、および、前記可搬メモリ(5)にあった、該入力手段(62)が指定した選択項目の内容を表す報知データを、記録媒体上に形成する記録制御手段(37,20,25,16,17)を備える；上記（６）に記載の画像形成装置。
【００２０】
これによれば、可搬メモリ(5)に広告などの情報を書込み、その情報を画像形成装置(PTR)の表示手段(60)に表示させることにより、商品情報などを提供しそれらの売り上げを向上することが可能となる。コンビニストアなど不特定多数によって頻繁に使用される場所に置かれた画像形成装置(PTR)において、このような効果が大きいと期待できる。
【００２１】
表示手段(60)上の選択項目を表示する表示画面（図１１）に基づいて、利用者がさらに詳細な情報を欲した場合、可搬メモリ(5)からさらに詳細な情報、すなわち選択項目の内容をあらわす報知データ、を取り出し記録媒体上に形成して持ち帰ることが可能となるので、利用者はより詳細な情報を得て保管することが可能となる。表示手段(60)が例えば小規模液晶パネルで、Ａ４画像の表示が難しかったり、精細な画像の表示が難しくても、報知データをＡ４画像を精細に表すものとして記憶媒体(5)に記憶しておくことにより、利用者には、精細なＡ４画像の記録媒体を提供できる。
【００２２】
（８）前記交換物又は再使用着脱物(3)は、前記画像形成装置に対して着脱可の顕像剤容器(4)である、上記（６）又は（７）に記載の画像形成装置。
【００２３】
顕像剤容器は通常はトナーボトルと呼ばれる。これによれば、トナーボトルに記憶手段(5)を装備してそれに広告などの情報を付加し、その情報を画像形成装置(PTR)の表示手段(60)に表示させることにより、情報提供者はトナーの消耗品費を負担するかわりに、商品情報などを提供しそれらの売り上げを向上することが可能となる。一方、利用者は情報を得られるとともに、トナーの消耗品費を負担することなく画像形成装置を利用可能となるので、経費を低減させることが可能となる。さらに、トナー使用後の空になったトナーボトルを回収し、トナーを再充填し再利用する場合に、同時に記憶手段(5)の情報を書き換えることにより、また新たな情報を利用者に提供することが可能となる。記憶手段(5)に読み書きメモリを用いれば、情報は書き換えが可能であるため何度でも使用できるので、環境に対しても有利となる。
【００２４】
（９）表示制御手段(25,20,37,53)は、画像形成装置(PTR)がトナー切れ状態からトナーあり状態に切換ったときに、該可搬メモリ(5)の表示データを読み出して前記画像メモリ(26)に書込む。これによれば、該表示データをその後任意の時点に、表示手段(60)に対する通常の表示制御と同様にして表示手段(60)に表示できる。
【００２５】
（１０）記録制御手段(37,20,25,16,17)は、報知データの記録実績データを、前記可搬メモリ(5)に書込む。これによれば、利用者がどのような報知データ（詳細情報）を得たのかという、配布実績情報が可搬メモリ(5)に記録されるので、トナーボトルが空になり回収された場合、情報提供者がその実績データを分析することにより、利用者の指向を把握することが可能となり、次に情報を提供するときに、利用者が興味をもっている情報を提供することが出来るので、利用者にとってより一層有効な情報を提供することが可能となる。一方、情報提供者にとっても利用者の興味をもっている情報に的をしぼって提供することが可能となるので、より一層に有効的な広告が可能となり、商品などの売り上げを向上させることが可能となる。
【００２６】
（１１）前記画像形成装置は、記録終了あるいはオペレータのキー操作終了から設定時間（Ｔｄ）が過ぎると省エネルギ待機モードに切換る省エネ切換手段(49,52,53)を含み、前記表示制御手段(25,20,37,53)は、省エネルギ待機モードへの切換わりに応答して画像メモリ(26)より可搬メモリ(5)にあつた表示データを読み出して表示手段(60)に表示する。
【００２７】
これによれば、表示データが表す表示画面が、画像形成をしようと画像形成装置に近づいた利用者の最初に目にとまるので、表示画面の情報伝達効果が高い。利用者が画像形成指示入力のために何等かの入力操作をすると、省エネルギ待機モードが解除されて動作モードに切換り、これにより表示手段(60)は画像形成モードをあらわすものに切換り、前記表示画面が消える。画像形成のための、利用者の入力操作あるいは状態確認に不便を与えない。
【００２８】
（１２）利用者による各種の操作モードを指定する部分(54〜57,61〜63)と、操作画面を表示する表示部(60)を備えた操作手段(OPB)と、原稿の画像を光学的に読みとる原稿読取手段(SCR)と、各種操作モードを登録し、また原稿読取手段で読みとった画像を保持する画像保持手段(23,25,26,27)と、画像保持手段(23,25,26,27)に蓄積された画像を転写紙に作像して排紙する出力手段(PTR)をもつ画像形成装置において、
トナーボトル(4)に装備した小型記憶手段(5)に特定の画像データをあらかじめ登録しておき、トナーボトル(4)が画像形成装置にセットされた場合、内蔵された特定画像データを画像形成装置に転送し、前記画像保持手段(23,25,26,27)に保持し、前記操作手段(OPB)の表示部(60)に表示させることを特徴とする画像形成装置。
【００２９】
この画像形成装置においては、トナーボトル(4)の小型記憶媒体(5)に広告などの情報を付加し、その情報を画像形成装置の表示部(60)に表示させることにより、情報提供者はトナーの消耗品費を負担するかわりに、商品情報などを提供しそれらの売り上げを向上することが可能となる。一方、利用者は情報を得られるとともに、トナーの消耗品費を負担することなく画像形成装置を利用可能となるので、経費を低減させることが可能となる。さらに、トナー使用後の空になったトナーボトル(4)を回収し、トナーを再充填し再利用する場合に、同時に小型記憶媒体(5)の情報を書き換えることにより、また新たな情報を利用者に提供することが可能となる。また小型記憶媒体(5)の情報は書き換えが可能であるため何度でも使用できるので、環境に対しても有利となる。
【００３０】
（１３）上記（１２）の画像形成装置において、画像保持手段(23,25,26,27)に保持されたトナーボトル(4)からの特定画像データを前記操作手段(OPB,55,62)で操作を行うことにより、転写紙に特定画像を作像し出力させることを特徴とする画像形成装置。
【００３１】
これによれば、トナーボトル(4)の小型記憶媒体(5)からの情報を表示部(60)に表示させ、利用者がさらに詳細な情報を欲した場合、トナーボトル(4)の小型記憶媒体(5)からさらに詳細な情報を取り出し印刷することが可能となるので、利用者はより詳細な情報を得ることが可能となる。また、転写紙に印字することにより、トナーボトル(4)が回収された後でも、利用者の手元に情報を保管することが可能となる。
【００３２】
（１４）上記（１３）の画像形成装置において、トナーボトル(4)の特定画像データをどのくらいの枚数、印字したかをカウントするカウント手段（３７のＣＰＵ５２）を持ち、カウント手段によってカウントされた特定画像データ出力枚数をトナーボトル(4)に装備した小型記憶手段(5)に転送し、保持することを特徴とする画像形成装置。
【００３３】
この画像形成装置においては、利用者がどのような詳細情報を得たのかという、カウント情報がトナーボトル(4)の小型記憶媒体(5)に記録されるので、トナーボトル(4)が空になり回収された場合、情報提供者がそのカウント情報を分析することにより、利用者の指向を把握することが可能となり、次に情報を提供するときに、利用者が興味をもっている情報を提供することが出来るので、利用者にとってより一層に有効的な情報を提供することが可能となる。一方、情報提供者にとっても利用者の興味をもっている情報に的をしぼって提供することが可能となるので、より一層に有効的な広告が可能となり、商品などの売り上げを向上させることが可能となる。
【００３４】
本発明の他の目的および特徴は、図面を参照した以下の実施例の説明より明らかになろう。
【００３５】
【実施例】
図１の（ａ）に、本発明を一態様で実施するデジタル複合機能複写機の外観を示す。ＡＤＦは自動原稿供給装置、ＰＴＲは、画像形成装置である、レーザ露光による電子写真方式のフルカラーデジタルプリンタ、ＰＢＫは各種サイズの、記録媒体である転写紙（プリント用紙）などを保管し給紙する給紙バンク、ＳＴＲは、画像を作像され定着されプリンタＰＴＲから排出される紙を区分するソータ、ＯＰＢは、操作モード等を表示し、利用者が操作モード等の指示を入力する操作／表示ボードである。ＡＤＦの下方に、原稿載置用のコンタクトガラス板があり、その直下には原稿の画像を走査して電気信号（ビデオ信号）を発生する原稿スキャナ（ＳＣＲ：図３）がある。
【００３６】
図２の（ａ）に、図１の（ａ）に示すデジタル複写機に装着されるブラックＢＫトナー供給用の、交換物であり再使用着脱物であるトナーボトル４の外観を示す。図２の（ａ）において、４はトナーボトル本体であり、内部にはＢＫトナーが充填されている。５は、記憶手段であり小型記憶媒体であるフラッシュメモリであり、内部に広告画像データなどを記録している。メモリ５の下面にはコネクタ端子が露出している。メモリ５は、トナーボトル４の底のフレーム４ｂｆに装着され、このメモリ５に画像データを書込み、そしてそれから読み出しできる。
【００３７】
図２の（ｂ）は、トナーボトル４をトナーホルダ３にセットする様子を示したものである。トナーホルダ３の、トナーボトル４の底を受ける起立壁には、図２の（ｃ）に示すように、ボトル４の底部分が嵌り込む丸穴の中央に、トナーボトル４の底のメモリ５のコネクタ端子が当接する受端子６がある。トナーボトル４がトナーホルダ３に装着されると、メモリ５のコネクタ端子がトナーホルダ３の受端子６に接触し、両者間で電源および信号をやりとりすることが可能となる。トナーホルダ３にも、デジタル複写機の電気制御システムに接続するコネクタピン７がもうけられている。
【００３８】
図１の（ｂ）は、前カバー１を開いて、トナーホルダ４をデジタル複写機に装着する様子を示したものである。図１の（ｂ）において、トナーボトル４がトナーホルダ３に装着され、そしてこのトナーホルダ３が複写機前面板の挿脱口２に差しこまれ、奥に押し込まれると、トナーホルダ３のコネクタピン７がデジタル複写機の電気システムに備わったコネクタ受け導体に圧接し、これによりメモリ５が複写機の電気システムと接続される。具体的には、メモリ５は、図４に示す画像処理装置（ＩＰＵ）４０の入出力ポート２４に接続される。トナーボトル４を装着すると、前カバー１は閉じられる。
【００３９】
なお、後述するが、ＢＫトナーエンドになったときに複写機はＢＫトナーエンド報知をしてＢＫトナーエンド情報をレジスタに保持し、その状態でＢＫトナーありの検出に切換ると、トナーボトル４の交換があつたと見なして、メモリ５の表示データを読み出して、複写機内の画像メモリ２６に書き込む。この表示データが表す表示画面は、複写機が省エネルギ待機状態に入ったときに、操作／表示ボードＯＰＢの液晶パネル６０に表示される。又、電源ＯＮ立上時、またはコピー処理中など、コピー操作が出来ないため利用者は待たされるときにも同様に表示される。
【００４０】
図６の（ａ）に、操作／表示ボードＯＰＢを拡大して示す。操作／表示ボードＯＰＢは、ケース，表示手段である液晶表示パネル（ＬＣＤ）６０，操作キー群５４，５５，５７，６２，６３，表示ＬＥＤ（発光ダイオード）５６，５８，５９，６１等によって構成されている。電源キー５４は、省エネモードから作動モードに、またその逆への切換えを指示するための操作キーである。省エネモードが設定されている時には作動モードであることを表すための表示ＬＥＤ５８は非点灯である。この状態で電源キー５４が一回押されると、省エネモードから作動モードに切換り、作動モード表示ＬＥＤ５８が点灯する。作動モードであるときに電源キー５４が一回押されると、作動モードから省エネモードに切換り、作動モード表示ＬＥＤ５８が消灯する。表示ＬＥＤ５９は、複写機のコンセントが商用交流電源ラインに接続され、しかも複写機のおおもとの電源スイッチが閉の間は常時点灯している。つまり、複写機のおおもとの電源がオンであると、省エネモードか作動モードかに係わらず、表示ＬＥＤ５９は点灯している。
【００４１】
通常、液晶パネル６０には図７の（ｂ）に示すようにコピー操作のメニューが表示されている。電源ＯＮ立上時、または省エネ時、またはコピー処理中などの時には、コピー操作が出来ないため利用者は待たされる場合があるが、このような場合、画像メモリ２６の、メモリ５から読みこんだ表示データが表す表示画面が、図７の（ａ）に示すように、操作／表示ボードＯＰＢの液晶パネル６０に表示される。特定画像提供者はこのようにしてデジタル複写機の利用者に情報を提供することが可能となる。
【００４２】
この情報を商品広告などにすれば、特定画像提供者は商品の宣伝などが可能となり商品の売り上げ向上が期待できる。このため画像提供者が広告宣伝費用としてトナーの費用を負担すればデジタル複写機利用者は、トナーの経費を負担せずに使用することが出来る。このようにして画像提供者は商品の宣伝ができ、デジタル複写機利用者はトナーの経費を負担することなく、デジタル複写機を利用できるので経費削減などが可能となる。さらに近年、環境問題などからトナーボトルは使用後、回収されることが多くなってきているが、トナーボトル４も回収して再利用できる。空のトナーボトル４は回収され、再度トナーを充填し使用することが出来るが、トナーを充填すると同時に、トナーボトル４のメモリ５の特定画像データを書き換えることにより、常に新たな情報を提供することが可能となる。この様子を図１２に示す。図１２において、８はボトル置き台、９はメモリ５のコネクタ端子に接触する受け端子であり、これらは、図示しないパソコンに接続されたハーネス１０に接続されている。該パソコンは、メモリ５のデータを読み出し、またメモリ５に画像データを書込むことができる。
【００４３】
ところで、メモリ５に記録されていた表示データは、デジタル複写機の操作／表示ボードＯＰＢの液晶パネル６０に表示されるが、液晶パネル６０のサイズおよびドット分解能の制約などにより、大量の情報や詳細な情報を表示することは、難しい。そこで、メモリ５には、２系統の画像データを記録する。第１の組は、液晶パネル６０に表示するだけの表示データであり、第２組は、プリンタＰＴＲでプリントアウトするだけの、詳細情報を表す報知データである。
【００４４】
操作／表示ボードＯＰＢの液晶パネル６０に表示された広告などの特定画像、例えば図７の（ａ）に示す第１の表示画面６０ａｄに関してデジタル複写機の利用者がさらに詳細情報を知りたい場合に、該画面上の入力ガイド６０ｏｉに従って、操作／表示ボードＯＰＢのモード切換えキー５５を押すことにより、例えば図１１の（ａ）に示す第２の表示画面を表示する。第２の表示画面は、詳細情報を選択し出力要求するための入力画面である。ここで利用者が、画面上の入力ガイド６０ｏｇに従って、キー群６２の中のテンキーで情報項目の番号（例えば、２．料金の「２」）を入力し、スタートキーを押すと、該情報項目の内容詳細を表す報知データがメモリ５から読み出され、ＩＰＵ４０を介してプリンタ（４１，ＰＴＲ）に与えられ、用紙にプリントアウトされる。
【００４５】
図３に、図１の（ａ）に示すデジタル複写機の電気システムの概要を示す。図３はメインコントローラ３７を中心に、複写機の制御装置を図示したものである。メインコントローラ３７は、複写機全体を制御する。メインコントローラ３７には、オペレータに対する表示と、オペレータからの機能設定入力制御を行う操作／表示ボードＯＰＢ，スキャナおよびＡＤＦの制御，原稿画像を画像メモリに書き込む制御、および、画像メモリからの作像を行う制御等を行う、スキャナコントローラ３９，プリンタコントローラ４３，画像処理装置（ＩＰＵ）４０、ならびに、プリンタＰＴＲ内にあって荷電，露光，現像，給紙，転写，定着ならびに転写紙搬送を行う作像エンジンの制御を行うエンジンコントローラ４１、等の分散制御装置が接続されている。各分散制御装置とメインコントローラ３７は、必要に応じて機械の状態，動作指令のやりとりを行っている。また、紙搬送等に必要なメインモータ，各種クラッチも、メインコントロ−ラ３７内の図示しないドライバに接続されている。
【００４６】
作像エンジンＰＴＲには、給紙トレイからの給紙をはじめとして、感光体１６の荷電，レーザ書込みユニットによる画像露光，現像，転写，定着および排紙を行なう機構要素を駆動する電気回路および制御回路、ならびに各種センサ等がある。メインコントロ−ラ３７は、所定のタイミングで給紙制御板上の判定回路および検出回路が保持する検出デ−タを読込んで、給紙部の状態を認識する。
【００４７】
プリンタコントローラ４３は、外部からの画像及びプリント指示するコマンドを解析し、画像データとして、印刷できる状態にビットマップ展開し、印刷モードをコマンドから解析し動作を決定している。その画像及びコマンドをＬＡＮ及びパラレルＩ／Ｆを通じて受信し動作するために、ＬＡＮコントロール４６とパラレルＩ／Ｆ４５がある。
【００４８】
図４を参照する。ＩＰＵ４０において、原稿スキャナＳＣＲのＣＣＤ１１が発生するアナログ画像信号は、Ａ／Ｄコンバータ１２にてデジタル信号すなわち画像デ−タに変換される。画像デ−タには、シェーディング補正１３がなされた後、画像処理部１４にてＭＴＦ補正，γ補正等がなされ、そして変倍処理１５で、変倍率に合せて拡大／縮小される。セレクタ１６が、画像デ−タの送り先を、書込みγ補正１７または、画像メモリーコントローラ２５とする。書込みγ補正１７を経由した画像デ−タは書き込みユニット１８に送られる。画像メモリーコントローラ２５とセレクタ１６間は、双方向に画像デ−タを入出力可能な構成となっている。図４には特に明示していないが、ＩＰＵ４０は、スキャナＳＣＲから入力される画像データ以外にも外部画像入出力１９を介して外部から供給される画像データ（例えばファクシミリ，パソコン，ワープロ等のデータ処理装置（ホスト）から出力されるデータ）も処理できるよう、複数のデータの入出力の選択を行う機能を有している。
【００４９】
ＩＰＵ４０は、画像メモリーコントローラ２５の設定や、画像スキャナ部，書き込み部１８の制御を行うＣＰＵ２０、及び、そのプログラムやデータを格納するＲＯＭ２１，ＲＡＭ２２を備えている。更にＣＰＵ２０は、メモリーコントローラ２５を介して、画像メモリ２６のデータの書き込み，読み出しを行なう。以下においては、プリンタＰＴＲの制御部４１を単にプリンタ４１ということもある。
【００５０】
スキャナＳＣＲと、プリンタ４１内の作像プロセスコントローラとは、プリンタコントローラ４３のシステムコントローラおよびＩＰＵ４０と、共通バスを介して相互に通信を行う。ＩＰＵ４０は、その内部に於いてパラレルバスとシリアルバスとのデータインターフェースのためのデータフォーマット変換を行う。スキャナＳＣＲの読取り画像デ−タは、ＩＰＵ４０に転送され、ＩＰＵ４０が、光学系及びデジタル信号への量子化に伴う信号劣化（スキャナ系の信号劣化：スキャナ特性による読取り画像デ−タの歪）を補正し、該画像デ−タを、プリンタコントローラ４３の増設仕様のメモリＭＥＭ，画像メモリ２６，フロッピデイスク，コンパクトディスク，ハードディスク２７またはＤＶＤ２８に書込む。又は、ＩＰＵ４０の内部のプリンタ出力のための処理系で出力画像データに変換してプリンタ４１に与える。
【００５１】
すなわち、ＩＰＵ４０には、読取り画像デ−タをプリンタコントローラ４３内のメモリＭＥＭ他の記億媒体に蓄積して再利用するジョブと、メモリＭＥＭ他の記億媒体に蓄積しないで、プリンタ４１に作像出力するジョブとがある。メモリＭＥＭに蓄積する一例としては、１枚の原稿を複数枚複写する場合、スキャナＳＣＲを１回だけ動作させ、読取り画像デ−タをメモリＭＥＭに蓄積し、蓄積データを複数回読み出す使い方がある。メモリＭＥＭを使わない例としては、１枚の原稿を１枚だけ複写する場合、読取り画像デ−タをそのままプリンタ出力用に処理すれば良いので、メモリＭＥＭへの書込みを行う必要はない。読取り画像デ−タの比較的に長期間の保存を意図するときには画像メモリ２６，フロッピデイスク，コンパクトディスク，ハードディスク２７またはＤＶＤ２８に書込む。パソコンなどのホストから与えられる印刷データ（テキストデータすなわち文章データ／イメージデータすなわちピクセルデータ）も同様である。スラッシュ／は、「又は」を意味する。
【００５２】
まず、メモリＭＥＭを使わない場合、ＩＰＵ４０に於いてＣＣＤによる輝度データを面積階調に変換するための画質処理を行う。画質処理後の面積階調に変化された信号はプリンタ４１に与えられ、プリンタ４１内の画像メモリを介してプリンタ４１内の書込み制御に与えられる。書込み制御は、ドット配置に関する後処理及びドットを再現するためのパルス制御を、レ−ザプリンタＰＴＲの作像ユニット１８に対して行い、転写紙上に再生画像を形成する。
【００５３】
メモリＭＥＭに蓄積し、それからの読み出し時に付加的な処理、例えば画像方向の回転，画像の合成等を行う場合は、ＩＰＵ４０からバスを経由してプリンタコントローラ４３内の画像メモリアクセス制御に送られる。プリンタコントローラ４３内ではシステムコントローラの制御に基づき画像データとメモリモジュ−ルＭＥＭのアクセス制御，外部パソコンのプリント用データの展開（文字コ−ド／キャラクタビット変換），メモリ有効活用のための画像データの圧縮／伸張を行う。プリンタコントローラ４３へ送られたデータは、データ圧縮後ＭＥＭへ蓄積し、蓄積データを必要に応じて読み出す。読み出しデータは伸張し、本来の画像データに戻しプリンタコントローラ４３からバス経由でＩＰＵ４０へ戻される。ＩＰＵ４０は、画質処理を行い、プリンタ４１に出力する。すなわち、転写紙上に顕像（トナ−像）を形成する。
【００５４】
画像データの流れに於いて、メインコントローラ３７の、共通バスでのバス制御により、デジタル複写機の複合機能を実現する。複合機能の１つであるＦＡＸ送信機能は、スキャナＳＣＲの読取り画像データをＩＰＵ４０にて画像処理を実施し、共通バスを経由してＦＡＸ制御４４へ転送する。
【００５５】
各ジョブ、例えばコピー機能，ＦＡＸ送受信機能およびプリンタ出力機能において、スキャナＳＣＲ，ＩＰＵ４０，プリンタ４１及びＦＡＸ制御４４への共通バス使用権の割り振りを、システムコントローラおよびメインコントローラ３７が、バス制御を介して制御する。
【００５６】
プリンタコントローラ４３内には、共通バスに対する画像データの入，出力を管理し、ＭＥＭへの画像データの格納／読み出しと、主に外部のパソコンから入力されるコードデータ（文章データ）の画像データ（イメージデータ）への展開を制御するＡＳＩＣ(Application Specific IC)がある。このＡＳＩＣは、パソコンから入力されたコードデータは、ラインバッファに格納する。すなわち、ローカル領域でのデータの格納を行い、ラインバッファに格納したコードデータは、プリンタコントローラ４３内のシステムコントローラからの展開処理命令に基づき、ビデオ制御に於いて画像データに展開する。展開された画像データもしくはパラレルバスから入力された画像データは、ＭＥＭに格納される。この場合、データ変換部に於いて格納対象となる画像データを選択し、データ圧縮部においてメモリ使用効率を上げるためにデータ圧縮を行い、ＡＳＩＣ内のメモリアクセス制御部にてＭＥＭのアドレスを管理しながらＭＥＭに画像データを格納する。ＭＥＭに格納された画像データの読み出しは、メモリアクセス制御部にて読み出し先アドレスを制御し、読み出された画像データをデータ伸張部にて伸張する。伸張された画像データをパラレルバスへ転送する場合、パラレルデータＩ／Ｆを介してデータ転送を行う。
【００５７】
メインコントローラ３７は、プログラムやデータを格納するＲＯＭ，ＲＡＭ，フォントデ−タやプログラムを外部から供給するＩＣカード３８，操作部ＯＰＢからのモ−ド指示の内容，設定内容，画像出力装置の使用管理用の情報ならびに画像出力装置の使用実績およびその他の、長期間の保存が望まれる設定情報および管理情報を記憶しておく不揮発性記憶装置であるＮＶＲＡＭ、および、ＲＯＭおよびＩＣカード３８のプログラム，操作部ＯＰＢからのモ−ド指示およびプリンタコントローラ４３（ホスト）からのコマンドに応じて、コントローラ３７全体およびバス制御を制御し、入力装置ならびに出力装置の装置間のバス接続を制御するＣＰＵ５２、を含む。
【００５８】
図示プリンタ４１（ＰＴＲ）はデジタルレ−ザプリンタであり、画像データをプリンタ４１内の画像メモリに取り込み、更に画像メモリから、書き込み制御ユニット１８へ、感光体を露光するＬＤ（レ−ザダイオ−ド）の光放射変調情報として、出力するようになっている。画像メモリ内には画像デ−タ読み書き制御回路がある。
【００５９】
図４に示すメモリーコントローラ２５は、入力データセレクタ，画像合成，１次圧縮／伸長，出力データセレクタ、および、２次圧縮／伸長を有している。これらへの制御データの設定は、メインコントローラ３７（の指示に従ってＣＰＵ２０）が行なう。
【００６０】
画像メモリ２６は、１次および２次記憶装置からなる。１次記憶装置は、入力画像データの転送速度に略同期してメモリーへのデータ書き込み、または画像出力時のメモリーからのデータ読み出しが高速に行えるように、例えばＤＲＡＭ等の高速アクセスが可能なメモリーを使用している。また、１次記憶装置は、処理を行う画像データの大きさにより複数のエリアに分割して画像データの入出力を同時に実行可能な構成（メモリーコントローラとのインターフェース部）をとっている。各分割したエリアに画像データの入力，出力をそれぞれ並列に実行可能にするために、メモリーコントローラ２５とのインターフェースで、リード用とライト用の二組のアドレス・データ線で接続されている。これによりエリア１に画像を入力（ライト）する間にエリア２より画像を出力（リード）するという動作が可能である。
【００６１】
画像メモリ２６の内部の２次記憶装置は、入力された画像の合成，ソーティングを行うためにデータを保存しておく大容量のメモリーである。１次，２次記憶装置とも、高速アクセス可能な素子を使用すれば、１次，２次の区別なくデータの処理が行え、制御も比較的簡単になるが、ＤＲＡＭ等の素子は高価なため、２次記憶装置にはアクセス速度はそれほど速くないが、安価で、大容量の記録媒体を使用し、入出力データの処理を一次記憶装置を介して行う構成になっている。
【００６２】
次にメモリーコントローラ２５の動作の概略を説明する：
＜１＞画像入力（画像メモリ２６への書込み）
メモリーコントローラ２５の内部の入力データセレクタは複数のデータの内から、画像メモリ２６（１次記憶装置）への書き込みを行う画像データの選択を行う。選択された画像データは、メモリーコントローラ２５の内部の画像合成がで、既に画像メモリに保存されているデータと合成される。画像合成によって処理された画像データは、メモリーコントローラ２５の内部の１次圧縮／伸長によりデータ圧縮されて１次記憶装置に書き込まれる。
【００６３】
画像メモリ２６の内部の１次記憶装置に書き込まれたデータは、必要に応じてメモリーコントローラ２５の内部の２次圧縮／伸長で更に圧縮を行った後に、画像メモリ２６の内部の２次記憶装置に保存される。
【００６４】
＜２＞画像出力（画像メモリ２６からの読み出し）
画像出力時は、画像メモリ２６の内部の１次記憶装置に記憶されている画像データの読み出しを行う。出力対象となる画像が１次記憶装置に格納されている場合には、１次圧縮／伸長で１次記憶装置の画像データの伸長を行い、伸長後のデータ、もしくは伸長後のデータと入力データとの画像合成を行った後のデータをメモリーコントローラ２５の内部の出力データセレクタで選択し、出力する。メモリーコントローラ２５の内部の画像合成は、１次記憶装置のデータと、入力データとの合成（画像データの位相調整機能を有する），合成後のデータの出力先の選択（画像出力，１次記憶装置へのライトバック，両方の出力先への同時出力も可）等の処理を行う。
【００６５】
出力対象となる画像が画像メモリ２６の内部の１次記憶装置に格納されていない場合には、２次記憶装置に格納されている出力対象画像データをメモリーコントローラ２５の内部の２次圧縮／伸長で伸長を行い、伸長後のデータを１次記憶装置に書き込んでから、以下、上述の画像出力動作を行う。
【００６６】
画像メモリ２６の画像はＣＰＵ２０からアクセス可能な構成となっている。このため画像メモリの内容を加工することが可能であり、例えば画像の合成，間引き、画像の切出し処理等が行える。加工には、メモリーコントローラ２５のレジスタにデータを書き込む事で画像メモリの処理を行う事ができる。加工された画像は再度画像メモリに保持される。また、画像メモリ２６の内容をＣＰＵ２０が読みだし、Ｉ／Ｏポート２４を経て、画像データとして操作／表示部ＯＰＢに転送することが可能であり、更に、コネクタを介してＩ／Ｏポート２４に接続されたメモリ５の画像データを読み出して一旦画像メモリ２６に格納し、画像メモリ２６から読み出して操作／表示部ＯＰＢに表示し、あるいはプリンタＰＴＲでプリントアウトできる。一般に、操作／表示部ＯＰＢの液晶タッチパネルの表示解像度は低い為、画像メモリ２６の原画像は画像間引きが行われ操作／表示部ＯＰＢの液晶パネル６０に送られる。
【００６７】
画像メモリ２６は、多くの画像データを収納するためハードディスクが用いられる事もある。ハードディスクを用いる事により、外部電源が不用で永久的に画像を保持できる特徴もある。複数の定型の原稿（フォーマット原稿）をスキャナで読み込み保持するためには、このハードディスクが用いられのが一般的である。
【００６８】
また、外部記憶装置２８としてＣＤ−Ｒ、ＣＤ−ＲＷ、そしてより容量の大きいＤＶＤが接続可能な構成になっている。外部記憶装置２８はＳＣＳＩコントローラによってバスを制御され、画像の書き込み、読み出しを実行する。書き込み、読み出しには本体の作像やスキャナからの画像書き込みに対し処理速度の差を吸収する為に、画像メモリに一旦記憶され処理される。つまり、外部記憶装置２８へスキャナ画像を書き込む場合必ず画像メモリ２６を経由して書き込む事になる。また画像記憶装置からのデータをプリンタＰＴＲの書き込みユニット１８に送る際は、画像メモリ２６に一旦記憶し、書き込みユニット１８に送ることになる。このように画像を記憶する装置の、画像メモリ２６、メモリ５、ＨＤ２７、外部記憶装置２８の画像、スキャナ画像、書き込みユニットに送る画像の入出力は全てメモリーコントローラ２５によって画像パスを決められる。このようにメインコントローラ３７（の指示に従いＣＰＵ２０）が画像データの入力、出力を決めることでＣＰＵ２０に接続されたメモリーコントローラ２５が画像の流れを切り替えることが可能となる。
【００６９】
図５には、上述の各種コントローラに給電する制御系電力系統を示す。メインコントローラ３７にはパワーリレースイッチ４９のオン／オフにより遮断可能な動作電力ライン５０と、これに依存せず通電し続ける待機電力ライン５１から動作電圧が供給されるようになっている。動作電力ライン５０は、メインコントローラ３７の、ＣＰＵ５２を主体とするコンピュ−タ要素を除く、画像読取，画像形成の制御を行なう電気回路ブロック（主にスキャナコントローラ，エンジンコントローラとのＩ／Ｆ回路）に給電し、またスキャナコントローラ３９，エンジンコントローラ４１に給電する。待機電力ライン５１は、ＣＰＵ５２を主体とするコンピュ−タ要素（ＣＰＵバスに接続されるＲＯＭ，ＲＡＭ，バスＳＷ，Ｉ／Ｏポート），操作／表示ボードＯＰＢのＣＰＵ５３を主体とするコンピュ−タ要素および入力読取回路等、ならびに、プリンタコントローラ４３およびＦＡＸコントローラ４４に給電する。
【００７０】
操作／表示ボードＯＰＢに配置された電源キー５４による省エネモードへの移行要求がＣＰＵ５３を介して与えられると、ＣＰＵ５２は、メインコントローラ３７を省エネモードに設定してからパワーリレースイッチ４９をオフする。これにより、スキヤナＳＣＲ，ＡＤＦ，作像エンジンＰＴＲ、ならびに、スキャナコントローラ３９，エンジンコントローラ４１およびメインコントローラ３７のスキャナ，エンジンＩ／Ｆ（インタ−フェ−ス）は、制御系電源４８からの電力供給が停止され非通電状態（省エネモード）となる。なお、これに連動して、電気モータ，ソレノイドなど、比較的に電力消費が大きい各種負荷に給電する、図示しない高負荷系電力ラインへの給電も遮断される。
【００７１】
この省エネモードの状態でも、ＣＰＵ５２を中心とするコンピュ−タシステム（ＣＰＵ５２，ＲＯＭ，ＲＡＭ，バススイッチ，Ｉ／Ｏポート）および操作／表示ボードＯＰＢのＣＰＵ５３を主体とするコンピュ−タ要素および入力読取回路等には、待機電力ライン５１を介して制御系電源４８からの電源供給が継続されるため、ＣＰＵ５２，５３は、ＲＯＭに内蔵されるプログラムに従い、省エネモードからの復帰要求をモニターできる。このときＣＰＵ５２，５３の処理すべきタスクは復帰要求の検出だけであるため、ＣＰＵ５２，５３の動作クロック周波数を低減することにより、更なる省エネルギー状態を実現できる。
【００７２】
ＣＰＵ５３からの電源キー５４の再押下に応じた作動モードへの復帰要求，プリンタコントローラ４３を介した外部からの復帰要求あるいはＦＡＸコントローラ４４を介した外部からの復帰要求のいずれかに応答して、ＣＰＵ５２がパワーリレースイッチ４９をオンする。これにより、省エネモードから作動モードに復帰する。すなわち動作電力ライン５０に制御系電源４８からの電力供給が行われ、メインコントローラ３７の回路ブロック，スキャナコントローラ３９，エンジンコントローラ４１は通電状態となる。ＣＰＵ５２は図示しないバススイッチをイネーブルにし、スキャナコントローラ３９，エンジンコントローラ４１との通信を再開する。
【００７３】
図６の（ｂ）に、操作／表示ボードＯＰＢの電気制御系を示す。この制御系の主体は、メインコントローラ３７のＣＰＵ５２とコミュニケーションし、操作／表示ボードＯＰＢの入力を読取り、ボード上の表示を制御するＣＰＵ５３，このＣＰＵ５３の制御プログラムが格納されているＲＯＭ６５，制御時にデータの一時格納等を行うためのＲＡＭ６６，液晶パネル６０の描画データを格納するＶＲＡＭ６８，このＶＲＡＭ６８に接続され液晶パネル６０の描画タイミング制御等を行う液晶表示コントローラ（ＬＣＤＣ）６７等がある。ＬＣＤＣ６７には、ＣＦＬの光源をバックライト７０として有する液晶パネル６０が接続される。ＣＰＵ５３には更に、ＣＦＬバックライト７０を駆動するインバータ６９，操作キー群５４，５５，５７，６２，６３のキーマトリクス７１，表示ＬＥＤ５６，５８，５９，６１のＬＥＤマトリクス７２およびそれらのＬＥＤを駆動するＬＥＤ駆動装置７３等が接続されている。また、ＣＰＵ５３が接続されたデータバスには、画像処理モード記憶用の不揮発性ＲＡＭ（ＮＶＲＡＭ）６４が接続されている。
【００７４】
図８および図９に、操作／表示ボードＯＰＢのＣＰＵ５３の、省エネモード／作動モード間の切換え制御を示す。まず図８を参照すると、図示しないおおもとの電源スイッチが閉じて制御系電源４８が動作電圧を与えると（ステップ１）、ＣＰＵ５３は、電源オン応答の初期化処理（ステップ２）をしてから、入力読取（ステップ３）を行う。なお、以下においては、カッコ内にはステップと言う語を省略してステップ番号数字のみを記す。おおもとの電源スイッチが閉じて制御系電源４８が動作電圧を発生した時には、メインコントローラ３７のＣＰＵ５２も同様に初期化をして、パワーリレースイッチ４９をオンにして作動モードを設定する。これに応答してＣＰＵ５３は、作動モードであることを表すＬＥＤ５８を点灯する。
【００７５】
初期化処理（２）においては、ＮＶＲＡＭ６４にある標準処理モードのコピー条件を読み出して液晶パネル６０に表示する。そしてこの表示情報を退避メモリにセーブして、画像メモリ２６の第１の表示画面６０ａｄ（図７の（ａ））を表す表示データを読み出して液晶パネル６０に表示する（ステップ２Ａ）。次の状態読取（３Ａ）では、メインコントローラ３７のＣＰＵ５２からＢＫトナーの有無情報を得て、ＢＫトナーボトル４の交換があったかを判定すると共に、メインコントローラ３７のＣＰＵ５２のコマンドも解読する。
【００７６】
図１０の（ａ）に、状態読取（３Ａ）の内容の一部を示す。ここでＣＰＵ５３は、メインコントローラ３７からＢＫトナー有無情報を受けて、ＢＫトナーなしであると、今回始めてＢＫトナー無しに変化したかをチェックして（４１，４２）、そうであると、ここでＢＫトナーなしを表す「１」をレジスタＴＦに書込み（４３）、液晶パネル６０にトナー切れを表示する（４４）。その後ＢＫトナーありに切換ると、レジスタＴＦおよびＣＲをクリアし（４５，４６）、トナーボトル４の交換があったことが考えられるので、メインコントローラ３７およびＩＰＵ４０を介して、メモリーコントローラ２５に、メモリ５からの第１組の表示データ、例えば図７の（ａ）に示す第１の表示画面６０ａｄを表すものと図１１の（ａ）に示す情報項目入力用の第２の表示画面を表すもの、の読み出しと画像メモリ２６への登録を指示する（４５）。メモリーコントローラ２５がこれを実行する。
【００７７】
再度図８を参照する。次の入力読取（３）では、操作／表示ボードＯＰＢに対するユーザの操作を読み込む。次に、入力読取（３）の概要を示す。
【００７８】
ユーザがコピーのモード設定のために操作／表示ボードＯＰＢに入力操作をすると、ＣＰＵ５３は、退避メモリにセーブしている表示情報（標準処理モードのコピー条件）を液晶パネル６０に更新表示して、更にその表示内容をユーザの操作が指定したものに更新する（４，５Ａ）。次にこの入力操作の時間間隔をセーブするレジスタＲＴｉに、そこまでの時間間隔（経過時間）計測値Ｔｉを書込んで（５）、新たにモード設定入力間隔の計測を開始し（６）、この計測を行っていることを示す情報１をレジスタＦＴｉに書込む（７）。
【００７９】
初期設定キー５７の押下があると、ＣＰＵ５３は、レジスタＦＰＭのデータを参照して（８，９）、それが１（前回モードを指定）であると、０（標準処理モードを指定）に、０であると１に書き換えて、液晶パネル６０の表示（省エネモードから作動モードに復帰した時に、前回の画像処理モードと標準処理モードのいずれを復帰デフォルト画面とするかの指定、の表示）も、それに対応して更新する（１０，１１）。これは、初期設定画面で、復帰デフォルト画面を通常のコピー標準画面（標準処理モード画面）と前回モード設定画面に切換可能とし、初期設定キー５７を押下して、作動モードに復帰時の画像処理モード画面の指定を切換えるものである。
【００８０】
モード登録キーの押下，コピースターキーの押下等、画像処理モードの設定の完了とみなしうる入力があるとＣＰＵ５３は、レジスタＦＴｉをクリアする（１２，１３）。すなわち、レジスタＦＴｉの、モード入力の時間間隔データを０にクリアする。この０は、タイマＴｄのタイムオーバにより作動モードから省エネモードに切換った時、画像処理モードの設定途中ではなかったことを意味する。レジスタＦＴｉの１は、該設定途中であった可能性が高いことを意味する。
【００８１】
コピースターキーの押下、あるいは、プリンタコントローラ４３またはＦＡＸコントローラ４４からの画像処理要求に応じて画像処理が開始される時には、Ｔｄ（例えば１０ｓｅｃ）時限のタイマＴｄの計時動作を停止し（１４，１５）、そして、そのとき液晶パネル６０に表示している動作モードを退避メモリにセーブして、画像メモリ２６の第１の表示画面６０ａｄの表示データを液晶パネル６０に表示する（１５Ａ）。画像処理が終了したときには該タイマＴｄの、新たなＴｄ時限の計時動作をスタートし（１６，１７）、退避メモリにセーブしている動作モードを、液晶パネル６０に更新表示する。
【００８２】
タイマＴｄがタイムオーバすると、ＣＰＵ５３は、液晶パネル６０に表示中の画像処理モードを、ＮＶＲＡＭ６４に前回モードとして書込み（１８，１９）、省エネモードへの切換えを、ＣＰＵ５２に指示する。ＣＰＵ５２はこれに応答してパワーリレースイッチ４９をオフにする（２０）。すなわち、電力供給を、作動モードから省エネモードに切換える。そしてＣＰＵ５３は、「広告を表示」（２０Ａ）で、画像メモリ２６に登録した第１の表示画面６０ａｄを表す画像データの画像メモリ２６からの読み出しとＬＣＤＣへの転送をメモリーコントローラ２５に指示して、図７の（ａ）に示すように第１の表示画面６０ａｄを液晶パネル６０に表示する。
【００８３】
電源キー５４の押下があるとＣＰＵ５３は、現在省エネモード（ＬＥＤ５８を消灯）であるかをチェックして（２２）、省エネモードでないと、つまり作動モードであると、画像処理指示（要求）を待っているレディ状態であるかをチェックして（２３）、そうであるとユーザが省エネモードへの切換えを指示したとみなして、液晶パネル６０に表示中の画像処理モードを、ＮＶＲＡＭ６４に前回モードとして書込み（１９）、省エネモードへの切換えを、ＣＰＵ５２に指示する。ＣＰＵ５２はこれに応答してパワーリレースイッチ４９をオフにする（２０）。
【００８４】
省エネモードであった時に電源キー５４の押下があった場合には、ユーザが作動モードへの復帰を指示したとみなして、作動モードへの切換えをＣＰＵ５２に指示しかつＬＥＤ５８を点灯して（２４）、タイマＴｄをスタートし（２５）、レジスタＦＴｉのデータをチェックする（２６）。レジスタＦＴｉのデータが１（前回の作動モードから省エネモードへの切換りが、ユーザの画像処理条件入力作業中であった可能性が高い）であると、レジスタＦＴｉをクリアして（３４）、画像処理条件入力の時間間隔Ｔｉ（レジスタＲＴｉのデータ）が、設定値Ｔｐ以上（これを画像処理モードの設定にてこずっていたと見なす）かをチェックして（３５）、そうであると、ＮＶＲＡＭ２８から、前回モードの画像処理条件（コピーモード）を読み出して液晶パネル６０に表示し（２８）、レジスタＦＮＭには、前回モードの画像処理条件を設定中であることを示す０を書込む（２９）。これはレジスタＦＮＭを初期化することと同義である。そして、前回モードを設定中であることを示すＬＥＤ５６を点灯する（３０）。このような処理があることにより、ユーザのコピー処理モード（画像処理モード）を設定する操作時間（ＲＴｉ）が設定時間（Ｔｐ）を経過した場合には、ユーザが複雑なモード設定をしていると見なし、作動モードから省エネモードに移行してしまっても、その後の作動モードへの復帰時には、先ず前回モード設定画面が、液晶パネル６０に表示される。
【００８５】
ところで、作動モードに復帰する時にレジスタＦＴｉのデータが０のときには、前回の省エネモードへの移行はユーザのモード設定を阻害していないと見なす。この場合には、レジスタＦＰＭのデータが１（初期設定画面で、復帰デフォルト画面を前回モード設定画面に指定している）であると、ＮＶＲＡＭ２８から、前回モードのコピーモードを読み出して液晶パネル６０に表示し（２８）、レジスタＦＮＭには、前回モードのコピーモードを設定中であることを示す０を書込み（２９）、前回モードを設定中であることを示すＬＥＤ５６を点灯する（３０）。レジスタＦＰＭのデータが０（初期設定画面で、復帰デフォルト画面を標準処理モード設定画面に指定している）であると、ＮＶＲＡＭ２８から、標準処理モードのコピーモード（画像処理条件）を読み出して液晶パネル６０に表示し（３１）、レジスタＦＮＭには、標準処理モードのコピー条件を設定中であることを示す１を書込み（３２）、前回処理モードを設定中であることを示すＬＥＤ５６を消灯する（３３）。このように、省エネモードから作動モードへの復帰時の画面表示のデフォルトが初期設定キー５７による初期設定（８〜１１：ＦＰＭ）で指定されたものとなり、ユーザの選択自由度が高い。
【００８６】
外部からの画像処理要求をＣＰＵ５２が知らせるとＣＰＵ５３は、現在が省エネモードであるかをチェックして（３６，３７）、省エネモードであると、「作動モードを設定」（２４）以下の、前述の処理に進む。
【００８７】
モード切換キー５５の押下があると、ＣＰＵ５３は、現在省エネモードであるときには、「広告詳細の出力」（３８Ｂ）に進む。
【００８８】
図１０の（ｂ）に、「広告詳細の出力」（３８Ｂ）の内容を示す。ここでは先ず、画像メモリ２６に登録した第２の表示画面を表す画像データの画像メモリ２６からの読み出しとＬＣＤＣへの転送をメモリーコントローラ２５に指示して、図１１の（ａ）に示すように第２の表示画面を液晶パネル６０に表示する（５１）。そしてテンキー入力とスタートキーの入力を待つ（５２，５３）。それらの入力があると、テンキー入力ｉに対応する情報項目ｉの報知データの、メモリ５からの読み出しとプリントアウトをメインコントローラ３７のＣＰＵ５２に指示する（５４）。これに応答してメインコントローラ３７が、報知データのプリントアウトを行う。ＣＰＵ５３は、カウントレジスタＣＲの、情報項目ｉ宛てのカウントデータを１インクレメントして、その結果をメモリ５に、情報項目ｉを表すデータを付加して書込む（５７）。第２の表示画面を表示しているときにモード切換キー５５の押下があると、液晶パネル６０の表示を第１の表示画面６０ａｄにもどす（３８Ｃ−２０Ａ）。
【００８９】
モード切換キー５５の押下があったとき動作モードであった場合には、ＣＰＵ５３は、レジスタＦＮＭのデータをチェックして（３８，３９）、それが１（現在標準処理モードを設定中）であると、ＮＶＲＡＭ２８から、前回モードのコピーモードを読み出して液晶パネル６０に表示し（２８）、レジスタＦＮＭには、前回モードのコピーモードを設定中であることを示す０を書込み（２９）、前回モードを設定中であることを示すＬＥＤ５６を点灯する（３０）。レジスタＦＮＭのデータが０（現在前回処理モードを設定中）であると、ＮＶＲＡＭ２８から、標準処理モードのコピーモードを読み出して液晶パネル６０に表示し（３１）、レジスタＦＮＭには、標準処理モードのコピー条件を設定中であることを示す１を書込み（３２）、前回処理モードを設定中であることを示すＬＥＤ５６を消灯する（３３）。
【００９０】
このように、ユーザは、モード設定の画面表示をモード切換キー５５で切換える事が出来、モード設定の操作性がアップする。また、初期設定画面で、復帰デフォルト画面を標準処理モード設定画面に指定している時（ＦＰＭ＝０）には、前ユーザが問題なくコピーを終了し、その後省エネモードに切換り、そしてまた作動モードに復帰した場合は、デフォルト画面表示（標準処理モード設定画面）になるので、次のユーザが誤って前ユーザの設定画面でコピーを行うという不具合も解消される。
【００９１】
操作／表示ボードＯＰＢのＣＰＵ５３は、以上に説明した入力読取と入力対応処理の他に、置数キーの押下の読込と入力数字データの生成，スタートキーの押下の読込みと、スタート指示のＣＰＵ５２への転送，用紙サイズの切換え入力の読取りなど、通常の複写機の操作／表示ボードの入出力制御を行う。これらの処理を一括して、「その他の入力処理」（４０）として図９に示した。
【００９２】
図１１の（ｂ）には、メモリ５に記録する表示画面のもう１つの例を示す。前述の実施例は、表示画面が図７の（ａ）に示すアピール画面と、図１１の（ａ）に示す情報項目指定画面（プリント指示画面）の２つであったが、図１１の（ｂ）の例は、表示画面を情報項目指定画面１つにしたものである。この例は、イトーストアの店内に設置した複写機に表示するものであり、店内案内を兼用している。この表示画面が、前述のステップ２Ａ，５Ａ，１５Ａおよび２０Ａで液晶パネル６０に表示される。表示上の情報項目を指定するテンキー入力ｉと、スタートキー入力があると、メモリ５からＮｏ．ｉの報知データが読み出されてプリンタＰＴＲでプリントアウトされる。
【図面の簡単な説明】
【図１】  （ａ）は本発明の一実施例の複合機能複写機の外観を示す斜視図、（ｂ）は複写機の前カバー１を開いて、ＢＫトナーボトル４を装着する一過程を示す斜視図である。
【図２】  （ａ）は図１の（ｂ）に示すＢＫトナーボトル４の拡大斜視図、（ｂ）は該ボトル４を受けるトナーホルダ３の斜視図、（ｃ）はトナーホルダ３の右側面図である。
【図３】  図１に示す複写機の電気系統の構成を示すシステム図である。
【図４】  図３に示すＩＰＵ４０の構成を示すブロック図である。
【図５】  図１に示す複写機の電力給電系統の一部を示すシステム図である。
【図６】  （ａ）は図１の（ａ）に示す操作／表示ボードＯＰＢの拡大平面図、（ｂ）は操作／表示ボードＯＰＢの電気系統の構成を示すシステム図である。
【図７】  （ａ）は操作／表示ボードＯＰＢの液晶パネル６０に表示される表示画面６０ａｄの一例を示す平面図、（ｂ）は、液晶パネル６０に表示される動作モード入力画面を示す平面図である。
【図８】  図６の（ｂ）に示すＣＰＵ５３の入力読取りおよび出力制御の一部を示すフローチャートである。
【図９】  図６の（ｂ）に示すＣＰＵ５３の入力読取りおよび出力制御の残部を示すフローチャートである。
【図１０】  （ａ）は図８に示す「状態読取」（４Ａ）の内容の一部を示すフローチャート、（ｂ）は、図９に示す「広告詳細の出力」（３８Ｂ）の内容の一部を示すフローチャートである。
【図１１】  図９の「広告詳細の出力」（３８Ｂ）で液晶パネル６０に表示される第２の表示画面の一例を示す平面図である。
【図１２】  空になったトナーボトル４を回収して新規トナーを充填する態様を模式的に示す正面図である。
【符号の説明】
４０：画像処理ユニット（ＩＰＵ）
５４：電源キー
５５：モード切換キー
５６：ＬＥＤ
５７：初期設定キー
６０：ＬＣＤ（液晶表示装置）
６２，６３：操作キー群
５８，５９，６１：表示ＬＥＤ